【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
メディアガイダンスシステムであって、
複数の既知のオーディオアセットと関連付けられるオーディオアセット情報を含むデータストアと、
ユーザ機器であって、ｉ）１つ以上のオーディオアセットを含むビデオ番組を受信することと、ｉｉ）該ビデオ番組を表示することと、ｉｉｉ）ユーザインターフェースを表示することと、ｉｖ）該ユーザインターフェースを使用してユーザ入力を受信することとを行うように構成される、ユーザ機器と、
プロセッサであって、ｉ）該ビデオ番組内で再生するオーディオアセットを識別するための要求を含む該ユーザ入力を受信することと、ｉｉ）該オーディオアセットと関連付けられるデータおよび該データストア内のデータを処理することによって、該オーディオアセットを識別することと、ｉｉｉ）該識別されたオーディオアセットと関連付けられるオーディオアセット情報を、表示するために該ユーザインターフェースに提供することとを行うように構成される、プロセッサと
を備える、システム。
【請求項２】
前記データストアは、複数の既知のオーディオシグネチャを含み、各既知のオーディオシグネチャは、既知のオーディオアセットと関連付けられる、請求項１に記載のシステム。
【請求項３】
前記処理することは、オーディオアセットシグネチャを生成することを含む、請求項２に記載のシステム。
【請求項４】
前記オーディオアセットを識別することは、前記生成されたオーディオアセットシグネチャと、前記複数の既知のオーディオシグネチャのうちの１つとの間の一致を識別することを含む、請求項３に記載のシステム。
【請求項５】
前記オーディオアセットを識別することは、オーディオアセット情報を抽出するために、該オーディオアセットと関連付けられるメタデータを処理することを含む、請求項１に記載のシステム。
【請求項６】
前記プロセッサは、前記オーディオアセットを識別するために、該オーディオアセットと関連付けられるメタデータと、前記複数の既知のオーディオアセットと関連付けられる前記オーディオアセット情報とを比較する、請求項５に記載のシステム。
【請求項７】
前記オーディオアセットを識別するための要求は、第１の要求であり、前記プロセッサは、ｉ）該識別されたオーディオアセットと関連付けられる前記オーディオアセット情報を記憶することと、ｉｉ）該オーディオアセットを識別するための第２の要求を受信することと、ｉｉｉ）該第１の要求と該第２の要求とを比較して、該第１の要求と該第２の要求とが同じオーディオアセットを指すことを決定することと、ｉｖ）該第２の要求に応じて、該記憶されたオーディオアセット情報を提供することとを行うようにさらに構成される、請求項１に記載のシステム。
【請求項８】
前記プロセッサは、前記オーディオアセットを識別するための複数の要求を受信し、該プロセッサは、ｉ）各要求の指示を記憶することと、ｉｉ）閾値の数の要求が受信されたことを決定することと、ｉｉｉ）該オーディオアセットを識別するように要求しなかった、前記ビデオ番組を閲覧している第２のユーザを識別することと、ｉｖ）該オーディオアセットが再生されているときに、該オーディオアセット情報を該第２のユーザに自動的に提供することとを行うようにさらに構成される、請求項１に記載のシステム。
【請求項９】
前記プロセッサは、ｉ）前記ビデオ番組内の前記オーディオアセットの開始時間および終了時間を検出することと、ｉｉ）該開始時間および該終了時間を含むメタデータを該ビデオ番組に追加することとのうちの少なくとも１つを実行するようにさらに構成される、請求項１に記載のシステム。
【請求項１０】
前記プロセッサは、ｉ）前記ビデオ番組の中の全てのオーディオアセットを再生するための第２のユーザの要求を受信することと、ｉｉ）前記開始時間および終了時間のメタデータに基づいて該オーディオアセットを再生することとのうちの少なくとも１つを実行するようにさらに構成される、請求項９に記載のシステム。
【請求項１１】
メディアガイダンスアプリケーションを使用してオーディオを識別する方法であって、該方法は、
１つ以上のオーディオアセットを含むビデオ番組を受信することと、
該ビデオ番組内のオーディオアセット再生を識別するための要求を含むユーザ入力を受信することと、
該オーディオアセットと関連付けられるデータおよびデータストア内のデータを処理することによって、該オーディオアセットを識別することであって、該データストアは、複数の既知のオーディオアセットと関連付けられるオーディオアセット情報を含む、ことと、
該識別されたオーディオアセットと関連付けられるオーディオアセット情報を、表示するためにユーザインターフェースに提供することと
を含む、方法。
【請求項１２】
前記データストアは、複数の既知のオーディオシグネチャを含み、各既知のオーディオシグネチャは、既知のオーディオアセットと関連付けられる、請求項１１に記載の方法。
【請求項１３】
オーディオアセットシグネチャを生成することをさらに含む、請求項１２に記載の方法。
【請求項１４】
前記オーディオアセットを識別することは、前記生成されたオーディオアセットシグネチャと、前記複数の既知のオーディオシグネチャのうちの１つとの間の一致を識別することを含む、請求項１２に記載の方法。
【請求項１５】
前記オーディオアセットを識別することは、オーディオアセット情報を抽出するために、該オーディオアセットと関連付けられるメタデータを処理することを含む、請求項１１に記載の方法。
【請求項１６】
前記オーディオアセットを識別するために、該オーディオアセットと関連付けられる前記メタデータと、前記複数の既知のオーディオアセットと関連付けられる前記オーディオアセット情報とを比較することをさらに含む、請求項１５に記載の方法。
【請求項１７】
前記オーディオアセットを識別するための要求は、第１の要求であり、前記方法は、ｉ）前記識別されたオーディオアセットと関連付けられる前記オーディオアセット情報を記憶することと、ｉｉ）該オーディオアセットを識別するための第２の要求を受信することと、ｉｉｉ）該要求が同じオーディオアセットを指すことを決定するために、該第１の要求と該第２の要求とを比較することと、ｉｖ）該第２の要求に応じて、該記憶されたオーディオアセット情報を提供することとをさらに含む、請求項１１に記載の方法。
【請求項１８】
メディアソースは、前記オーディオアセットを識別するための複数の要求を受信し、前記方法は、ｉ）各要求の指示を記憶することと、ｉｉ）閾値の数の要求を受信したことを決定することと、ｉｉｉ）該オーディオアセットを識別するように要求しなかった、前記ビデオ番組を閲覧している第２のユーザを識別することと、ｉｖ）該オーディオアセットが再生されているときに、前記オーディオアセット情報を該第２のユーザに自動的に提供することとをさらに含む、請求項１１に記載の方法。
【請求項１９】
ｉ）前記ビデオ番組内の前記オーディオアセットの開始時間および終了時間を検出することと、ｉｉ）該開始時間および該終了時間を含む該ビデオ番組にメタデータを加えることとをさらに含む、請求項１１に記載の方法。
【請求項２０】
ｉ）前記ビデオ番組の中の全てのオーディオアセットを再生するための第２のユーザの要求を受信することと、ｉｉ）前記開始時間および終了時間のメタデータに基づいて該オーディオアセットを再生することとをさらに含む、請求項１９に記載の方法。
【手続補正２】
【補正対象書類名】明細書
【補正対象項目名】００１７
【補正方法】変更
【補正の内容】
【００１７】
一実施形態では、識別されたオーディオアセット情報は、ビデオ番組内で再生するオーディオアセットを識別するために、ユーザの要求に応じて提供される。オーディオアセット情報は、オーディオアセットシグネチャ、タイトル、アーティスト、アルバム、アルバムアート、ジャンル、種類、ビデオ番組の中のオーディオアセットの場所、ビデオ番組の中のオーディオアセットの再生時間、オーディオアセットの開始時間、オーディオアセットの終了時間、歌詞、オーディオテキスト、および／またはオーディオ品質のデータを含んでもよい。
本願明細書は、例えば、以下の項目も提供する。
（項目１）
メディアガイダンスシステムであって、
複数の既知のオーディオアセットと関連付けられるオーディオアセット情報を含むデータストアと、
ユーザ機器であって、ｉ）１つ以上のオーディオアセットを含むビデオ番組を受信することと、ｉｉ）該ビデオ番組を表示することと、ｉｉｉ）ユーザインターフェースを表示することと、ｉｖ）該ユーザインターフェースを使用してユーザ入力を受信することとを行うように構成される、ユーザ機器と、
プロセッサであって、ｉ）該ビデオ番組内で再生するオーディオアセットを識別するための要求を含む該ユーザ入力を受信することと、ｉｉ）該オーディオアセットと関連付けられるデータおよび該データストア内のデータを処理することによって、該オーディオアセットを識別することと、ｉｉｉ）該識別されたオーディオアセットと関連付けられるオーディオアセット情報を、表示するための該ユーザインターフェースに提供することとを行うように構成される、プロセッサと
を備える、システム。
（項目２）
前記データストアは、複数の既知のオーディオシグネチャを含み、各既知のオーディオシグネチャは、既知のオーディオアセットと関連付けられる、項目１に記載のシステム。
（項目３）
前記処理は、オーディオアセットシグネチャの生成を含む、項目２に記載のシステム。
（項目４）
前記オーディオアセットを識別することは、前記生成されたオーディオアセットシグネチャと、前記データストアの中の前記複数の既知のオーディオシグネチャとの比較を含む、項目３に記載のシステム。
（項目５）
前記オーディオアセットの識別することは、前記生成されたオーディオアセットシグネチャと、前記複数の既知のオーディオシグネチャのうちの１つとの間の一致を識別することを含む、項目４に記載のシステム。
（項目６）
前記プロセッサは、前記識別されたオーディオアセットと関連付けられる前記オーディオアセット情報の少なくとも一部分を含むメタデータを生成する、項目５に記載のシステム。
（項目７）
前記オーディオアセット情報は、オーディオタイトル、アーティスト、アルバム、アルバムアート、ジャンル、種類、ビデオ番組の中のオーディオアセットの場所、ビデオ番組の中のオーディオアセットの再生時間、オーディオアセットの開始時間、オーディオアセットの終了時間、およびオーディオ品質のうちの少なくとも１つを含む、項目６に記載のシステム。
（項目８）
前記オーディオアセットシグネチャを生成することは、平均ゼロクロッシングレート、推定されたテンポ、平均周波数スペクトル、スペクトルの平坦さ、突出したトーン、および帯域幅のうちの１つ以上を計算するために前記オーディオアセットのサンプルを処理することを含む、項目５に記載のシステム。
（項目９）
前記オーディオアセットシグネチャを生成することは、サンプルに対する前記オーディオアセットの最適なセグメントを決定することを含む、項目５に記載のシステム。
（項目１０）
前記最適なセグメントを決定することは、前記オーディオアセットに関連しないオーディオデータからの干渉が最小化される場所を決定することを含む、項目９に記載のシステム。
（項目１１）
干渉が最小化される場所を決定することは、オーディオのための前記オーディオアセット、または該オーディオアセットに関連しないオーディオデータを示す音響特性を分析することを含む、項目１０に記載のシステム。
（項目１２）
干渉が最小化される場所を決定することは、前記オーディオアセットに関連しないオーディオデータが存在するときを決定するために、前記ビデオ番組とともに含まれるメタデータを分析することを含む、項目１０に記載のシステム。
（項目１３）
前記オーディオアセットを識別することは、オーディオアセット情報を抽出するために、該オーディオアセットと関連付けられるメタデータを処理することを含む、項目１に記載のシステム。
（項目１４）
前記メタデータは、前記オーディオアセットと関連付けられる歌詞、字幕データ、およびテキストのうちの少なくとも１つを含む、項目１３に記載のシステム。
（項目１５）
前記プロセッサは、前記オーディオアセットを識別するために、該オーディオアセットと関連付けられるメタデータと、前記複数の既知のオーディオアセットと関連付けられる前記オーディオアセット情報とを比較する、項目１３に記載のシステム。
（項目１６）
前記ユーザ機器は、前記プロセッサを含む、項目１に記載のシステム。
（項目１７）
前記データストアは、メディアソースに位置する、項目１に記載のシステム。
（項目１８）
前記メディアソースは、前記プロセッサを含む、項目１７に記載のシステム。
（項目１９）
前記オーディオアセットを識別するための要求は、第１の要求であり、前記プロセッサは、ｉ）該識別されたオーディオアセットと関連付けられる前記オーディオアセット情報を記憶することと、ｉｉ）該オーディオアセットを識別するための第２の要求を受信することと、ｉｉｉ）該第１の要求と第２の要求とを比較して、該第１の要求と第２の要求とが同じオーディオアセットを指すことを決定することと、ｉｖ）該第２の要求に応じて、該記憶したオーディオアセット情報を提供することとを行うようにさらに構成される、項目１８に記載のシステム。
（項目２０）
前記プロセッサは、前記オーディオアセットを識別するための複数の要求を受信し、該プロセッサは、ｉ）各要求の指示を記憶することと、ｉｉ）閾値の数の要求が受信されたことを決定することと、ｉｉｉ）該オーディオアセットを識別するために、要求されなかった前記ビデオ番組を閲覧している第２のユーザを識別することと、ｉｖ）該オーディオアセットが再生されているときに、該オーディオアセット情報を該第２のユーザに自動的に提供することとを行うようにさらに構成される、項目１８に記載のシステム。
（項目２１）
前記オーディオアセット情報は、前記ビデオ番組の上にオーバーレイされる、項目１に記載のシステム。
（項目２２）
前記オーディオアセット情報は、選択可能であり、前記ユーザには、該選択に応じて、前記識別されたオーディオアセットを購入するためのオプションが提示され得る、項目１に記載のシステム。
（項目２３）
前記プロセッサは、ｉ）前記オーディオアセット情報に少なくとも部分的に基づいて広告を選択することと、ｉｉ）該広告を前記ユーザに表示することとを行うようにさらに構成される、項目１に記載のシステム。
（項目２４）
前記オーディオアセットは、曲、ダイアログ、ナレーション、音響効果、またはバックグラウンドミュージックである、項目１に記載のシステム。
（項目２５）
前記プロセッサは、ｉ）前記ビデオ番組内の前記オーディオアセットの開始時間および終了時間を検出することと、ｉｉ）該開始時間および終了時間を含むメタデータをビデオ番組に追加することとのうちの少なくとも１つを実行するようにさらに構成される、項目１に記載のシステム。
（項目２６）
前記プロセッサは、ｉ）前記ビデオ番組の中の全てのオーディオアセットを再生するための第２のユーザの要求を受信することと、ｉｉ）前記開始時間および終了時間のメタデータに基づいて該オーディオアセットを再生することとのうちの少なくとも１つを実行するようにさらに構成される、項目２５に記載のシステム。
（項目２７）
メディアガイダンスシステムであって、
１つ以上のオーディオアセットを含むビデオ番組を受信するための手段と、
該ビデオ番組内のオーディオアセット再生を識別するための要求を含むユーザ入力を受信するための手段と、
該オーディオアセットと関連付けられるデータおよびデータストア内のデータを処理することによって、該オーディオアセットを識別するための手段であって、該データストアは、複数の既知のオーディオアセットと関連付けられるオーディオアセット情報を含む、手段と、
該識別されたオーディオアセットと関連付けられるオーディオアセット情報を、表示するためのユーザインターフェースに提供するための手段と
を備える、システム。
（項目２８）
前記データストアは、複数の既知のオーディオシグネチャを含み、各既知のオーディオシグネチャは、既知のオーディオアセットと関連付けられる、項目２７に記載のシステム。
（項目２９）
オーディオアセットシグネチャを生成するための手段をさらに備える、項目２８に記載のシステム。
（項目３０）
前記オーディオアセットを識別するための前記手段は、前記生成されたオーディオアセットシグネチャを、前記データストアの中の前記複数の既知のオーディオシグネチャと比較するための手段を含む、項目２９に記載のシステム。
（項目３１）
前記オーディオアセットを識別するための前記手段は、前記生成されたオーディオアセットシグネチャと、前記複数の既知のオーディオシグネチャのうちの１つとの間の一致を識別するための手段を含む、項目３０に記載のシステム。
（項目３２）
前記識別されたオーディオアセットと関連付けられる前記オーディオアセット情報の少なくとも一部分を含むメタデータを生成するための手段をさらに備える、項目３１に記載のシステム。
（項目３３）
前記オーディオアセット情報は、オーディオタイトル、アーティスト、アルバム、アルバムアート、ジャンル、種類、ビデオ番組の中のオーディオアセットの場所、ビデオ番組の中のオーディオアセットの再生時間、オーディオアセットの開始時間、オーディオアセットの終了時間、およびオーディオ品質のうちの少なくとも１つを含む、項目３２に記載のシステム。
（項目３４）
前記オーディオアセットシグネチャを生成するための前記手段は、平均ゼロクロッシングレート、推定されたテンポ、平均周波数スペクトル、スペクトルの平坦さ、突出したトーン、および帯域幅のうちの１つ以上を計算するために、前記オーディオアセットのサンプルを処理するための手段を含む、項目３１に記載のシステム。
（項目３５）
前記オーディオアセットシグネチャを生成するための前記手段は、サンプルに対する前記オーディオアセットの最適なセグメントを決定することするための手段を含む、項目３１に記載のシステム。
（項目３６）
前記最適なセグメントを決定することするための前記手段は、前記オーディオアセットに関連しないオーディオデータからの干渉が最小化される場所を決定することするための手段を含む、項目３５に記載のシステム。
（項目３７）
干渉が最小化される場所を決定するための前記手段は、オーディオのための前記オーディオアセット、または該オーディオアセットに関連しないオーディオデータを示す音響特性を分析するための手段を含む、項目３６に記載のシステム。
（項目３８）
干渉が最小化される場所を決定することするための前記手段は、前記オーディオアセットに関連しないオーディオデータが存在するときを決定するように、前記ビデオ番組とともに含まれるメタデータを分析するための手段を含む、項目３６に記載のシステム。
（項目３９）
前記オーディオアセットを識別するための前記手段は、オーディオアセット情報を抽出するために、該オーディオアセットと関連付けられるメタデータを処理するための手段を含む、項目２７に記載のシステム。
（項目４０）
前記メタデータは、前記オーディオアセットと関連付けられる歌詞、字幕データ、およびテキストのうちの少なくとも１つを含む、項目３９に記載のシステム。
（項目４１）
前記オーディオアセットを識別するために、該オーディオアセットと関連付けられるメタデータを、前記複数の既知のオーディオアセットと関連付けられる前記オーディオアセット情報と比較するための手段をさらに備える、項目３９に記載のシステム。
（項目４２）
前記オーディオアセットは、ユーザ機器のプロセッサを使用して識別される、項目２７に記載のシステム。
（項目４３）
前記データストアは、メディアソースに位置する、項目２７に記載のシステム。
（項目４４）
前記オーディオアセットは、メディアソースのプロセッサを使用して識別される、項目４３に記載のシステム。
（項目４５）
前記オーディオアセットを識別するための要求は、第１の要求であり、前記方法は、ｉ）前記識別されたオーディオアセットと関連付けられる前記オーディオアセット情報を記憶するための手段と、ｉｉ）該オーディオアセットを識別するための第２の要求を受信するための手段と、ｉｉｉ）該要求が同じオーディオアセットを指すことを決定するために、該第１の要求と第２の要求とを比較するための手段と、ｉｖ）該第２の要求に応じて、該記憶したオーディオアセット情報を提供するための手段とをさらに備える、項目４４に記載のシステム。
（項目４６）
前記メディアソースは、前記オーディオアセットを識別するための複数の要求を受信し、前記方法は、ｉ）各要求の指示を記憶するための手段と、ｉｉ）閾値の数の要求を受信したことを決定するための手段と、ｉｉｉ）該オーディオアセットを識別するための要求を行わなかった、前記ビデオ番組を閲覧している第２のユーザを識別するための手段と、ｉｖ）該オーディオアセットが再生されているときに、前記オーディオアセット情報を該第２のユーザに自動的に提供するための手段とをさらに備える、項目４５に記載のシステム。
（項目４７）
前記オーディオアセット情報は、前記ビデオ番組の上にオーバーレイされる、項目２７に記載のシステム。
（項目４８）
前記オーディオアセット情報は、選択可能であり、前記ユーザには、前記選択に応じて、前記識別されたオーディオアセットを購入するためのオプションが提示され得る、項目２７に記載のシステム。
（項目４９）
ｉ）前記オーディオアセット情報に少なくとも部分的に基づいて広告を選択するための手段と、ｉｉ）該広告を前記ユーザに表示するための手段とをさらに備える、項目２７に記載のシステム。
（項目５０）
前記オーディオアセットは、曲、ダイアログ、ナレーション、音響効果、またはバックグラウンドミュージックである、項目２７に記載のシステム。
（項目５１）
ｉ）前記ビデオ番組内の前記オーディオアセットの開始時間および終了時間を検出するための手段と、ｉｉ）該開始時間および終了時間を含むビデオ番組にメタデータを加えるための手段とをさらに備える、項目２７に記載のシステム。
（項目５２）
ｉ）前記ビデオ番組の中の全てのオーディオアセットを再生するための第２のユーザの要求を受信するための手段と、ｉｉ）前記開始時間および終了時間のメタデータに基づいて該オーディオアセットを再生するための手段とをさらに備える、項目５１に記載のシステム。
（項目５３）
メディアガイダンスアプリケーションを使用してオーディオを識別するための方法であって、該方法は、
１つ以上のオーディオアセットを含むビデオ番組を受信することと、
該ビデオ番組内のオーディオアセット再生を識別するための要求を含むユーザ入力を受信することと、
該オーディオアセットと関連付けられるデータおよびデータストア内のデータを処理することによって、該オーディオアセットを識別することであって、該データストアは、複数の既知のオーディオアセットと関連付けられるオーディオアセット情報を含む、ことと、
該識別されたオーディオアセットと関連付けられるオーディオアセット情報を、表示するためのユーザインターフェースに提供することと
を含む、オーディオを識別するための方法。
（項目５４）
前記データストアは、複数の既知のオーディオシグネチャを含み、各既知のオーディオシグネチャは、既知のオーディオアセットと関連付けられる、項目５３に記載の方法。
（項目５５）
オーディオアセットシグネチャを生成することをさらに含む、項目５４に記載の方法。
（項目５６）
前記オーディオアセットを識別することは、前記生成されたオーディオアセットシグネチャを、前記データストアの中の前記複数の既知のオーディオシグネチャと比較することを含む、項目５５に記載の方法。
（項目５７）
前記オーディオアセットを識別することは、前記生成されたオーディオアセットシグネチャと、前記複数の既知のオーディオシグネチャのうちの１つとの間の一致を識別することを含む、項目５６に記載の方法。
（項目５８）
前記識別されたオーディオアセットと関連付けられる前記オーディオアセット情報の少なくとも一部分を含むメタデータを生成することをさらに含む、項目５７に記載の方法。
（項目５９）
前記オーディオアセット情報は、オーディオタイトル、アーティスト、アルバム、アルバムアート、ジャンル、種類、ビデオ番組の中のオーディオアセットの場所、ビデオ番組の中のオーディオアセットの再生時間、オーディオアセットの開始時間、オーディオアセットの終了時間、およびオーディオ品質のうちの少なくとも１つを含む、項目５８に記載の方法。
（項目６０）
前記オーディオアセットシグネチャを生成することは、平均ゼロクロッシングレート、推定されたテンポ、平均周波数スペクトル、スペクトルの平坦さ、突出したトーン、および帯域幅のうちの１つ以上を計算するために、前記オーディオアセットのサンプルを処理することを含む、項目５７に記載の方法。
（項目６１）
前記オーディオアセットシグネチャを生成することは、サンプルに対する前記オーディオアセットの最適なセグメントを決定することを含む、項目５７に記載の方法。
（項目６２）
前記最適なセグメントを決定することは、前記オーディオアセットに関連しないオーディオデータからの干渉が最小化される場所を決定することを含む、項目６１に記載の方法。
（項目６３）
干渉が最小化される場所を決定することは、オーディオのための前記オーディオアセット、または前記オーディオアセットに関連しないオーディオデータを示す音響特性を分析することを含む、項目６２に記載の方法。
（項目６４）
干渉が最小化される場所を決定することは、前記オーディオアセットに関連しないオーディオデータが存在するときを決定するために、前記ビデオ番組とともに含まれるメタデータを分析することを含む、項目６２に記載の方法。
（項目６５）
前記オーディオアセットを識別することは、オーディオアセット情報を抽出するために、該オーディオアセットと関連付けられるメタデータを処理することを含む、項目５３に記載の方法。
（項目６６）
前記メタデータは、前記オーディオアセットと関連付けられる歌詞、字幕データ、およびテキストのうちの少なくとも１つを含む、項目６５に記載の方法。
（項目６７）
前記オーディオアセットを識別するために、前記オーディオアセットと関連付けられるメタデータを、前記複数の既知のオーディオアセットと関連付けられる前記オーディオアセット情報と比較することをさらに含む、項目６５に記載の方法。
（項目６８）
前記オーディオアセットは、ユーザ機器のプロセッサを使用して識別される、項目５３に記載の方法。
（項目６９）
前記データストアは、メディアソースに位置する、項目５３に記載の方法。
（項目７０）
前記オーディオアセットは、メディアソースのプロセッサを使用して識別される、項目６９に記載の方法。
（項目７１）
前記オーディオアセットを識別するための要求は、第１の要求であり、前記方法は、ｉ）前記識別されたオーディオアセットと関連付けられる前記オーディオアセット情報を記憶することと、ｉｉ）該オーディオアセットを識別するための第２の要求を受信することと、ｉｉｉ）該要求が同じオーディオアセットを指すことを決定するために、該第１の要求と第２の要求とを比較することと、ｉｖ）該第２の要求に応じて、該記憶したオーディオアセット情報を提供することとをさらに含む、項目７０に記載の方法。
（項目７２）
前記メディアソースは、前記オーディオアセットを識別するための複数の要求を受信し、前記方法は、ｉ）各要求の指示を記憶することと、ｉｉ）閾値の数の要求を受信したことを決定することと、ｉｉｉ）該オーディオアセットを識別するための要求を行わなかった、前記ビデオ番組を閲覧している第２のユーザを識別することと、ｉｖ）該オーディオアセットが再生されているときに、前記オーディオアセット情報を該第２のユーザに自動的に提供することとをさらに含む、項目７０に記載の方法。
（項目７３）
前記オーディオアセット情報は、前記ビデオ番組の上にオーバーレイされる、項目５３に記載の方法。
（項目７４）
前記オーディオアセット情報は、選択可能であり、前記ユーザには、前記選択に応じて、前記識別されたオーディオアセットを購入するためのオプションが提示され得る、項目５３に記載の方法。
（項目７５）
ｉ）前記オーディオアセット情報に少なくとも部分的に基づいて広告を選択することと、ｉｉ）該広告を前記ユーザに表示することとをさらに含む、項目５３に記載の方法。
（項目７６）
前記オーディオアセットは、曲、ダイアログ、ナレーション、音響効果、またはバックグラウンドミュージックである、項目５３に記載の方法。
（項目７７）
ｉ）前記ビデオ番組内の前記オーディオアセットの開始時間および終了時間を検出することと、ｉｉ）該開始時間および終了時間を含むメタデータをビデオ番組に加えることとをさらに含む、項目５３に記載の方法。
（項目７８）
ｉ）前記ビデオ番組の中の全てのオーディオアセットを再生するための第２のユーザの要求を受信することと、ｉｉ）前記開始時間および終了時間のメタデータに基づいて該オーディオアセットを再生することとをさらに含む、項目７７に記載の方法。
（項目７９）
メディアガイダンスシステムであって、
複数の既知のオーディオアセットと関連付けられるオーディオアセット情報を記憶するように構成されるデータストアと、
プロセッサであって、ｉ）第１の複数のユーザからの、ビデオ番組内に埋め込まれたオーディオアセットを識別するための複数の要求を受信することと、ｉｉ）該データストア内の該要求されたオーディオアセットの指示を記憶することと、ｉｉｉ）該要求されたオーディオアセットと関連付けられるオーディオアセット情報を第２の複数のユーザに提供することとを行うように構成される、プロセッサと
を備える、システム。
（項目８０）
前記プロセッサは、前記要求されたオーディオアセットと関連付けられるデータおよび前記データストア内のデータを処理することによって、該要求されたオーディオアセットを識別するようにさらに構成される、項目７９に記載のシステム。
（項目８１）
前記データストアは、複数の既知のオーディオシグネチャを含み、各既知のオーディオシグネチャは、該複数の既知のオーディオアセットのうちの１つと関連付けられる、項目８０に記載のシステム。
（項目８２）
前記オーディオアセットを識別するための複数の要求の各々は、生成されるオーディオアセットシグネチャを含む、項目８１に記載のシステム。
（項目８３）
前記要求されたオーディオアセットの識別は、一致する既知のオーディオシグネチャを決定するように、前記生成されたオーディオアセットシグネチャと、前記データストアの中の前記複数の既知のオーディオシグネチャとの比較を含む、項目８２に記載のシステム。
（項目８４）
前記要求されたオーディオアセットの識別は、オーディオアセット情報を抽出するために、該オーディオアセットと関連付けられるメタデータの処理を含む、項目８０に記載のシステム。
（項目８５）
前記要求されたオーディオアセットと関連付けられる前記データは、歌詞を含む、項目８０に記載のシステム。
（項目８６）
前記オーディオアセット情報は、前記第２の複数のユーザからの、前記ビデオ番組内に埋め込まれた前記オーディオアセットを識別するための要求の受信に応じて提供される、項目７９に記載のシステム。
（項目８７）
前記オーディオアセット情報は、前記第２の複数のユーザが前記ビデオ番組を閲覧しているか、または記録していると決定することに応じて提供される、項目７９に記載のシステム。
（項目８８）
前記オーディオアセット情報は、前記第２の複数のユーザの各々と関連付けられるユーザプロファイル情報が、前記第１の複数のユーザの各々と関連付けられるユーザプロファイル情報と一致していると決定することに応じて提供される、項目７９に記載のシステム。
（項目８９）
前記オーディオアセット情報は、前記第１の複数のユーザ内のユーザの数が、人気を決定するためのユーザの所定の閾値の数と一致していると決定することに応じて提供される、項目７９に記載のシステム。
（項目９０）
前記オーディオアセット情報は、オーディオアセットシグネチャ、タイトル、アーティスト、アルバム、アルバムアート、ジャンル、種類、ビデオ番組の中のオーディオアセットの場所、ビデオ番組の中のオーディオアセットの再生時間、オーディオアセットの開始時間、オーディオアセットの終了時間、歌詞、オーディオテキスト、およびオーディオ品質のうちの少なくとも１つを含む、項目７９に記載のシステム。
（項目９１）
前記プロセッサは、ｉ）前記オーディオアセット情報の少なくとも一部分を含むメタデータを生成することと、ｉｉ）該メタデータを前記ビデオ番組と関連付けることとを行うようにさらに構成される、項目９０に記載のシステム。
（項目９２）
前記データストアは、遠隔データストアであり、前記プロセッサは、ｉ）複数のユーザ機器データストアを監視することと、ｉｉ）該複数のユーザ機器データストアに記憶されていない、該遠隔データストアに記憶されたオーディオアセット情報を識別することと、ｉｉｉ）該識別されたオーディオアセット情報を該複数のユーザ機器データストアに提供することとを行うようにさらに構成される、項目７９に記載のシステム。
（項目９３）
前記プロセッサは、ｉ）前記要求されたオーディオアセットと関連付けられる前記オーディオアセット情報に少なくとも部分的に基づいて広告を選択することと、ｉｉ）該広告を前記第１および第２の複数のユーザに提供することとを行うようにさらに構成される、項目７９に記載のシステム。
（項目９４）
前記オーディオアセットは、曲、ダイアログ、ナレーション、音響効果、またはバックグラウンドミュージックである、項目７９に記載のシステム。
（項目９５）
メディアガイダンスシステムであって、
複数の既知のオーディオアセットと関連付けられるオーディオアセット情報をデータストアに記憶するための手段と、
第１の複数のユーザからの、ビデオ番組内に埋め込まれたオーディオアセットを識別するための複数の要求を受信するための手段と、
該データストア内の前記要求されたオーディオアセットの指示を記憶するための手段と、
該要求されたオーディオアセットと関連付けられるオーディオアセット情報を第２の複数のユーザに提供するための手段と
を備える、システム。
（項目９６）
前記要求されたオーディオアセットと関連付けられるデータおよび前記データストア内のデータを処理することによって、該要求されたオーディオアセットを識別するための手段をさらに備える、項目９５に記載のシステム。
（項目９７）
前記データストアは、複数の既知のオーディオシグネチャを含み、各既知のオーディオシグネチャは、前記複数の既知のオーディオアセットのうちの１つと関連付けられる、項目９６に記載のシステム。
（項目９８）
前記オーディオアセットを識別するための複数の要求の各々は、生成されたオーディオアセットシグネチャを含む、項目９７に記載のシステム。
（項目９９）
前記要求されたオーディオアセットを識別するための手段は、一致する既知のオーディオシグネチャを決定するために、前記生成されたオーディオアセットシグネチャを、前記データストアの中の前記複数の既知のオーディオシグネチャと比較するための手段を含む、項目９８に記載のシステム。
（項目１００）
前記要求されたオーディオアセットを識別するための前記手段は、オーディオアセット情報を抽出するために、該オーディオアセットと関連付けられるメタデータを処理するための手段を含む、項目９６に記載のシステム。
（項目１０１）
前記要求されたオーディオアセットと関連付けられる前記データは、歌詞を含む、項目９６に記載のシステム。
（項目１０２）
前記オーディオアセット情報は、前記第２の複数のユーザからの、前記ビデオ番組内に埋め込まれた前記オーディオアセットを識別するための要求の受信に応じて提供される、項目９５に記載のシステム。
（項目１０３）
前記オーディオアセット情報は、前記第２の複数のユーザが前記ビデオ番組を閲覧しているか、または記録していると決定することに応じて提供される、項目９５に記載のシステム。
（項目１０４）
前記オーディオアセット情報は、前記第２の複数のユーザの各々と関連付けられるユーザプロファイル情報が、前記第１の複数のユーザの各々と関連付けられるユーザプロファイル情報と一致していると決定することに応じて提供される、項目９５に記載のシステム。
（項目１０５）
前記オーディオアセット情報は、前記第１の複数のユーザ内のユーザの数が、人気を決定するためのユーザの所定の閾値の数と一致していると決定することに応じて提供される、項目９５に記載のシステム。
（項目１０６）
前記オーディオアセット情報は、オーディオアセットシグネチャ、タイトル、アーティスト、アルバム、アルバムアート、ジャンル、種類、ビデオ番組の中のオーディオアセットの場所、ビデオ番組の中のオーディオアセットの再生時間、オーディオアセットの開始時間、オーディオアセットの終了時間、歌詞、オーディオテキスト、およびオーディオ品質のうちの少なくとも１つを含む、項目９５に記載のシステム。
（項目１０７）
前記オーディオアセット情報の少なくとも一部分を含むメタデータを生成するための手段と、
該メタデータを前記ビデオ番組と関連付けるための手段と
をさらに備える、項目１０６に記載のシステム。
（項目１０８）
前記データストアは、遠隔データストアであり、前記方法は、
複数のユーザ機器データストアを監視するための手段と、
該複数のユーザ機器データストアに記憶されていない、該遠隔データストアに記憶されたオーディオアセット情報を識別するための手段と、
該識別されたオーディオアセット情報を該複数のユーザ機器データストアに提供するための手段と
をさらに備える、項目９５に記載のシステム。
（項目１０９）
前記要求されたオーディオアセットと関連付けられる前記オーディオアセット情報に少なくとも部分的に基づいて広告を選択するための手段と、
該広告を前記第１および第２の複数のユーザに提供するための手段と
をさらに備える、項目９５に記載のシステム。
（項目１１０）
前記オーディオアセットは、曲、ダイアログ、ナレーション、音響効果、またはバックグラウンドミュージックである、項目９５に記載のシステム。
（項目１１１）
メディアガイダンスアプリケーションを使用してオーディオアセット情報を提供するための方法であって、該方法は、
複数の既知のオーディオアセットと関連付けられるオーディオアセット情報をデータストアに記憶することと、
第１の複数のユーザからの、ビデオ番組内に埋め込まれたオーディオアセットを識別するための複数の要求を受信することと、
該データストア内の該要求されたオーディオアセットの指示を記憶することと、
該要求されたオーディオアセットと関連付けられるオーディオアセット情報を第２の複数のユーザに提供することと
を含む、方法。
（項目１１２）
前記プロセッサは、前記要求されたオーディオアセットと関連付けられるデータおよび前記データストア内のデータを処理することによって、該要求されたオーディオアセットを識別することをさらに含む、項目１１１に記載の方法。
（項目１１３）
前記データストアは、複数の既知のオーディオシグネチャを含み、各既知のオーディオシグネチャは、前記複数の既知のオーディオアセットのうちの１つと関連付けられる、項目１１２に記載の方法。
（項目１１４）
前記オーディオアセットを識別するための複数の要求の各々は、生成されたオーディオアセットシグネチャを含む、項目１１３に記載の方法。
（項目１１５）
前記要求されたオーディオアセットを識別することは、一致する既知のオーディオシグネチャを決定するために、前記生成されたオーディオアセットシグネチャを、前記データストアの中の前記複数の既知のオーディオシグネチャと比較することを含む、項目１１４に記載の方法。
（項目１１６）
前記要求されたオーディオアセットを識別することは、オーディオアセット情報を抽出するために、該オーディオアセットと関連付けられるメタデータを処理することを含む、項目１１２に記載の方法。
（項目１１７）
前記要求されたオーディオアセットと関連付けられる前記データは、歌詞を含む、項目１１２に記載の方法。
（項目１１８）
前記オーディオアセット情報は、前記第２の複数のユーザからの、前記ビデオ番組内に埋め込まれた前記オーディオアセットを識別するための要求の受信に応じて提供される、項目１１１に記載の方法。
（項目１１９）
前記オーディオアセット情報は、前記第２の複数のユーザが前記ビデオ番組を閲覧しているか、または記録していると決定することに応じて提供される、項目１１１に記載の方法。
（項目１２０）
前記オーディオアセット情報は、前記第２の複数のユーザの各々と関連付けられるユーザプロファイル情報が、前記第１の複数のユーザの各々と関連付けられるユーザプロファイル情報と一致していると決定することに応じて提供される、項目１１１に記載の方法。
（項目１２１）
前記オーディオアセット情報は、前記第１の複数のユーザ内のユーザの数が、人気を決定するためのユーザの所定の閾値の数と一致していると決定することに応じて提供される、項目１１１に記載の方法。
（項目１２２）
前記オーディオアセット情報は、オーディオアセットシグネチャ、タイトル、アーティスト、アルバム、アルバムアート、ジャンル、種類、ビデオ番組の中のオーディオアセットの場所、ビデオ番組の中のオーディオアセットの再生時間、オーディオアセットの開始時間、オーディオアセットの終了時間、歌詞、オーディオテキスト、およびオーディオ品質のうちの少なくとも１つを含む、項目１１１に記載の方法。
（項目１２３）
前記オーディオアセット情報の少なくとも一部分を含むメタデータを生成することと、
該メタデータを前記ビデオ番組と関連付けることと
をさらに含む、項目１２２に記載の方法。
（項目１２４）
前記データストアは、遠隔データストアであり、前記方法は、
複数のユーザ機器データストアを監視することと、
該複数のユーザ機器データストアに記憶されていない、該遠隔データストアに記憶されたオーディオアセット情報を識別することと、
前記識別されたオーディオアセット情報を該複数のユーザ機器データストアに提供することと
をさらに含む、項目１１１に記載の方法。
（項目１２５）
前記要求されたオーディオアセットと関連付けられる前記オーディオアセット情報に少なくとも部分的に基づいて広告を選択することと、
該広告を前記第１および第２の複数のユーザに提供することと、
をさらに含む、項目１１１に記載の方法。
（項目１２６）
前記オーディオアセットは、曲、ダイアログ、ナレーション、音響効果、またはバックグラウンドミュージックである、項目１１１に記載の方法。
（項目１２７）
オーディオアセット情報記憶システムであって、
既知のオーディオアセットと関連付けられるオーディオアセット情報を記憶するように構成されるデータストアであって、該オーディオアセット情報は、該既知のオーディオアセットを埋め込んでいるビデオ番組と関連付けられるビデオ番組情報を含む、データストアと、
プロセッサであって、ｉ）該既知のオーディオアセットを識別するための複数の要求を受信することと、ｉｉ）該データストア内の各要求の指示を記憶することと、ｉｉｉ）該既知のオーディオアセットと関連付けられる該オーディオアセット情報の少なくとも一部分を、ユーザ機器に提供することとを行うように構成される、プロセッサと
を備える、オーディオアセット情報記憶システム。
（項目１２８）
前記オーディオアセット情報は、オーディオアセットシグネチャ、識別子、タイトル、アーティスト、アルバム、アルバムアート、ジャンル、種類、歌詞、および再生時間のうちの少なくとも１つを含む、項目１２７に記載のシステム。
（項目１２９）
前記ビデオ番組情報は、番組タイトル、ジャンル、種類、エピソード、シリーズ、放送スケジュール、オーディオアセットの場所、オーディオアセットの開始時間、オーディオアセットの終了時間、歌詞、オーディオテキスト、およびオーディオアセット品質のうちの少なくとも１つを含む、項目１２７に記載のシステム。
（項目１３０）
前記データストアは、遠隔データストアであり、前記プロセッサは、ｉ）複数のユーザ機器データストアを監視することと、ｉｉ）該複数のユーザ機器データストアに記憶されていない、該遠隔データストアに記憶されたオーディオアセット情報を識別することと、ｉｉｉ）前記識別されたオーディオアセット情報を該複数のユーザ機器データストアに提供することとを行うようにさらに構成される、項目１２７に記載のシステム。
（項目１３１）
前記オーディオアセット情報の少なくとも一部分は、前記ユーザ機器が、前記既知のオーディオアセットを埋め込んでいる前記ビデオ番組を表示または記録するように設定されていると決定することに応じて提供される、項目１２７に記載のシステム。
（項目１３２）
前記オーディオアセット情報の少なくとも一部分は、前記ユーザ機器のユーザプロファイルが、前記既知のオーディオアセットの特徴と一致するオーディオ選好データを含むと決定することに応じて提供され、該特徴は、該オーディオアセット情報に含まれる、項目１２７に記載のシステム。
（項目１３３）
前記オーディオアセット情報の少なくとも一部分は、前記ユーザ機器のユーザプロファイルが、前記既知のオーディオアセットを埋め込んでいる前記ビデオ番組の特徴と一致するビデオ選好データを含むと決定することに応じて提供され、該特徴は、前記ビデオ番組情報に含まれる、項目１２７に記載のシステム。
（項目１３４）
前記プロセッサは、ｉ）選択されたビデオ番組と関連付けられる全てのオーディオアセットを閲覧するための要求を受信することと、ｉｉ）該選択されたビデオ番組を識別するビデオ番組情報と関連付けられるオーディオアセットについて、前記データストアを検索することと、ｉｉｉ）前記一致するオーディオアセットの各々と関連付けられる前記オーディオアセット情報の少なくとも一部分を、前記ユーザ機器に提供することとを行うようにさらに構成される、項目１２７に記載のシステム。
（項目１３５）
前記プロセッサは、ｉ）前記既知のオーディオアセットを識別するための、閾値の数の要求を受信したことを決定することと、ｉｉ）該既知のオーディオアセットと関連付けられる前記オーディオアセット情報内の閾値決定の指示を記憶することとを行うようにさらに構成される、項目１２７に記載のシステム。
（項目１３６）
前記オーディオアセット情報の少なくとも一部分は、前記閾値決定に応じて提供される、項目１３５に記載のシステム。
（項目１３７）
オーディオアセット情報記憶システムであって、
既知のオーディオアセットと関連付けられるオーディオアセット情報をデータストアに記憶するための手段であって、該オーディオアセット情報は、該既知のオーディオアセットを埋め込んでいるビデオ番組と関連付けられるビデオ番組情報を含む、手段と、
該既知のオーディオアセットを識別するための複数の要求を受信するための手段と、
該データストア内の各要求の指示を記憶するための手段と、
該既知のオーディオアセットと関連付けられる該オーディオアセット情報の少なくとも一部分をユーザ機器に提供するための手段と
を備える、システム。
（項目１３８）
前記オーディオアセット情報は、オーディオアセットシグネチャ、識別子、タイトル、アーティスト、アルバム、アルバムアート、ジャンル、種類、歌詞、および再生時間のうちの少なくとも１つを含む、項目１３７に記載のシステム。
（項目１３９）
前記ビデオ番組情報は、番組タイトル、ジャンル、種類、エピソード、シリーズ、放送スケジュール、オーディオアセットの場所、オーディオアセットの開始時間、オーディオアセットの終了時間、歌詞、オーディオテキスト、およびオーディオアセット品質のうちの少なくとも１つを含む、項目１３７に記載のシステム。
（項目１４０）
前記データストアは、遠隔データストアであり、前記方法は、
複数のユーザ機器データストアを監視するための手段と、
該複数のユーザ機器データストアに記憶されていない、該遠隔データストアに記憶されたオーディオアセット情報を識別するための手段と、
該識別されたオーディオアセット情報を該複数のユーザ機器データストアに提供するための手段と
をさらに備える、項目１３７に記載のシステム。
（項目１４１）
前記オーディオアセット情報の少なくとも一部分は、前記ユーザ機器が、前記既知のオーディオアセットを埋め込んでいる前記ビデオ番組を表示または記録するように設定されていると決定することに応じて提供される、項目１３７に記載のシステム。
（項目１４２）
前記オーディオアセット情報の少なくとも一部分は、前記ユーザ機器のユーザプロファイルが、前記既知のオーディオアセットの特徴と一致するオーディオ選好データを含むと決定することに応じて提供され、該特徴は、該オーディオアセット情報に含まれる、項目１３７に記載のシステム。
（項目１４３）
前記オーディオアセット情報の少なくとも一部分は、前記ユーザ機器のユーザプロファイルが、前記既知のオーディオアセットを埋め込んでいる前記ビデオ番組の特徴と一致するビデオ選好データを含むと決定することに応じて提供され、該特徴は、前記ビデオ番組情報に含まれる、項目１３７に記載のシステム。
（項目１４４）
選択されたビデオ番組と関連付けられる全てのオーディオアセットを閲覧するための要求を受信するための手段と、
該選択されたビデオ番組を識別するビデオ番組情報と関連付けられるオーディオアセットについて、前記データストアを検索するための手段と、
前記一致するオーディオアセットの各々と関連付けられる前記オーディオアセット情報の少なくとも一部分を該ユーザ機器に提供するための手段と
をさらに備える、項目１３７に記載のシステム。
（項目１４５）
前記既知のオーディオアセットを識別するための閾値の数の要求を受信したことを決定するための手段と、
該既知のオーディオアセットと関連付けられる前記オーディオアセット情報内の閾値決定の指示を記憶するための手段と
をさらに備える、項目１３７に記載のシステム。
（項目１４６）
前記オーディオアセット情報の少なくとも一部分は、前記閾値決定に応じて提供される、項目１３７に記載のシステム。
（項目１４７）
オーディオアセット情報を提供するための方法であって、
既知のオーディオアセットと関連付けられるオーディオアセット情報をデータストアに記憶することであって、該オーディオアセット情報は、該既知のオーディオアセットを埋め込んでいるビデオ番組と関連付けられるビデオ番組情報を含む、ことと、
該既知のオーディオアセットを識別するための複数の要求を受信することと、
該データストア内の各要求の指示を記憶することと、
該既知のオーディオアセットと関連付けられる該オーディオアセット情報の少なくとも一部分をユーザ機器に提供することと
を含む、方法。
（項目１４８）
前記オーディオアセット情報は、オーディオアセットシグネチャ、識別子、タイトル、アーティスト、アルバム、アルバムアート、ジャンル、種類、歌詞、および再生時間のうちの少なくとも１つを含む、項目１４７に記載の方法。
（項目１４９）
前記ビデオ番組情報は、番組タイトル、ジャンル、種類、エピソード、シリーズ、放送スケジュール、オーディオアセットの場所、オーディオアセットの開始時間、オーディオアセットの終了時間、歌詞、オーディオテキスト、およびオーディオアセット品質のうちの少なくとも１つを含む、項目１４７に記載の方法。
（項目１５０）
前記データストアは、遠隔データストアであり、前記方法は、
複数のユーザ機器データストアを監視することと、
該複数のユーザ機器データストアに記憶されていない、該遠隔データストアに記憶されたオーディオアセット情報を識別することと、
該識別されたオーディオアセット情報を該複数のユーザ機器データストアに提供することと
をさらに含む、項目１４７に記載の方法。
（項目１５１）
前記オーディオアセット情報の少なくとも一部分は、前記ユーザ機器が、前記既知のオーディオアセットを埋め込んでいる前記ビデオ番組を表示または記録するように設定されていると決定することに応じて提供される、項目１４７に記載の方法。
（項目１５２）
前記オーディオアセット情報の少なくとも一部分は、前記ユーザ機器のユーザプロファイルが、前記既知のオーディオアセットの特徴と一致するオーディオ選好データを含むと決定することに応じて提供され、該特徴は、該オーディオアセット情報に含まれる、項目１４７に記載の方法。
（項目１５３）
前記オーディオアセット情報の少なくとも一部分は、前記ユーザ機器のユーザプロファイルが、前記既知のオーディオアセットを埋め込んでいる前記ビデオ番組の特徴と一致するビデオ選好データを含むと決定することに応じて提供され、該特徴は、該ビデオ番組情報に含まれる、項目１４７に記載の方法。
（項目１５４）
選択されたビデオ番組と関連付けられる全てのオーディオアセットを閲覧するための要求を受信するステップと、
該選択されたビデオ番組を識別するビデオ番組情報と関連付けられるオーディオアセットについて、前記データストアを検索することと、
前記一致するオーディオアセットの各々と関連付けられる前記オーディオアセット情報の少なくとも一部分を前記ユーザ機器に提供することと
をさらに含む、項目１４７に記載の方法。
（項目１５５）
前記既知のオーディオアセットを識別するための閾値の数の要求を受信したことを決定することと、
該既知のオーディオアセットと関連付けられる前記オーディオアセット情報内の閾値決定の指示を記憶することと
をさらに含む、項目１４７に記載の方法。
（項目１５６）
前記オーディオアセット情報の少なくとも一部分は、前記閾値決定に応じて提供される、項目１４７に記載の方法。